(57)【特許請求の範囲】
【請求項１】
少なくとも一方に窓孔を有する二枚の外側台紙と、前記窓孔よりも大きな開口部を有する中間台紙と、前記中間台紙の開口部内に嵌合される大きさの前記外側台紙に印刷された絵柄と関連性のある表示シート片とからなり、前記表示シート片を中間台紙の開口部内に嵌合した状態で中間台紙の両面に二枚の外側台紙を貼り合わせてなるトレーディングカードの製造方法において、前記表示シート片の周囲に予め剥離紙付接着シートからなる補強枠辺を貼り付けておき、最終的に中間台紙の開口部内に前記補強枠辺の剥がされた表示シート片を嵌合して、中間台紙の両面に二枚の外側台紙を貼り合わせることを特徴とするトレーディングカードの製造方法。
【請求項２】
一方の外側台紙と中間台紙とを重合接着しておき、周囲に予め剥離紙付接着シートからなる補強枠辺を貼り付けた表示シート片を、中間台紙の開口部内に嵌合してから前記表示シート片の補強枠辺を剥がして、表面シート片を両面の外側台紙の間に挟着固定する請求項１のトレーディングカードの製造方法。
【請求項３】
一方の外側台紙と中間台紙とを重合接着しておき、周囲に予め剥離紙付接着シートからなる補強枠辺を貼り付けた表示シート片を、前記補強枠辺を剥がしてから中間台紙の開口部内に嵌合して、表面シート片を両面の外側台紙の間に挟着固定する請求項１のトレーディングカードの製造方法。
【請求項４】
両面剥離紙付接着シートに予め前記外側台紙の窓孔と略同じ大きさの格子窓を複数個開設しておき、前記両面剥離紙付接着シートにおける一方の面の剥離紙を剥がして露呈される他方の面上の接着剤により、外側台紙に印刷される絵柄と関連性のある裁断前の表示シート片素材を貼り付け、前記それぞれの格子窓の外周に該格子窓と同心的に重なる前記中間台紙の開口部内に嵌合される大きさの前記補強枠辺を打ち抜いて、前記中間台紙の開口部内に嵌合される前記補強枠辺付表示シート片を得る請求項１乃至３のいずれかに記載のトレーディングカードの製造方法。
【発明の詳細な説明】
【０００１】
【発明の属する技術分野】
本発明は、有名なスポーツ選手やタレントなどの写真を印刷したカードに、そ
の選手やタレントと関連性のある物、例えば、その選手やタレントが使用したユニフォーム、衣類、各種用具類などの希少価値のある一片を取り付けて、この種のカードを個人的に蒐集したり、相互に交換して楽しむためのトレーディングカードを製造するための方法に関するものである。
【０００２】
【従来の技術】
従来より、上記のようなトレーディングカードについては、特許第３０７８５１１号により開示されているように、同じ位置に窓孔を設けた２枚の外側台紙と、前記窓孔よりも大きい開口部をもった中間台紙とからなり、この中間台紙の開口部内に、外側台紙に印刷された絵柄等と関連性のあるシート片を嵌合した状態で、前記シート片を２枚の外側台紙の間に挟着固定するようにした構造のものが知られている。
【０００３】
このトレーディングカードは、上記のように、外側台紙にスポーツ選手やタレントなどの写真が単に印刷されているだけでなく、カード所持者がその選手やタレントとの間に、より一層個人的な親しさを感じられるような具体的な物品が付設されているので、最近ではカード愛好者が急増し、生産量も増えて多量のカードが流通市場に出回るようになっている。なお、その選手やタレントとの間に個人的な親近感を得ることのできる具体的な物品で、しかもカード内に取り付けられる簡便で軽量なものとしては、スポーツ選手やタレントが使用したユニフォームや衣類を２．５ｃｍ程度の大きさに裁断して得た布地小片などが用いられている。
【０００４】
【発明が解決すべき課題】
このように、この種のトレーディングカードでは、カードに取り付けられる具体的な物品として、主として布地等のシート片が使用されるが、これらのシート片は前記のように、２．５ｃｍ程度に小さく裁断された布地の小片であるため、これらのシート片を中間台紙の開口部内に嵌め込んで、このシート片の周辺部を外側台紙の窓孔内周面に貼り付ける際に、これらのシート片を皺、歪み、弛みなどが生ずることなく、きっちりと平らに嵌め込んで糊付けする作業に手間がかかるという問題がある。
【０００５】
上記のシート片が、例えば野球選手やサッカー選手のユニフォームのような、全体的に織り目が緻密で丈夫な生地の場合には、大きなシート片素材から２．５ｃｍ程度の大きさの小型のシート片を予め多量に裁断しておいても、これらのシート片は周辺の切り口の糸がほつれたり、四隅が形崩して変形するということがないので、これらのシート片を指先で摘んで中間台紙の開口部内へ嵌め込む作業はさほど困難なく行える。
【０００６】
しかし、スポーツ選手のユニフォームであっても、素材が比較的薄手で織り目が粗いレースや網目生地のような場合には、大きなシート片素材から２．５ｃｍ程度の大きさの小型のシート片を予め多量に裁断しておくと、これらのシート片は形状が小さいために生地としての組成を維持するのが困難な状態となり、周辺の切り口の糸がほつれたり、四隅が正しく形を維持せずに変形を生じて、これらのシート片を手で摘んで中間台紙の開口部内へ嵌め込む作業が困難となり、外側台紙の窓孔内へ正しく平坦に挟着固定できずに歪んで取り付けられてしまうという問題がある。
【０００７】
【課題を解決するための手段】
本発明は、上記のような従来におけるトレーディングカードの問題点に鑑み、カード内に嵌込む表示シート片が薄手で織り目が粗いレースや網目生地のような場合であっても、これらの素材から裁断した小型の表示シート片を、中間台紙の開口部内へ少しの煩わしさもなく、しかも手際よく簡単かつ能率的に嵌め込むことのできるトレーディングカードの製造方法の提供を目的としたものである。
【０００８】
本発明はそのための具体的手段として、少なくとも一方に窓孔を有する二枚の外側台紙と、前記窓孔よりも大きな開口部を有する中間台紙と、前記中間台紙の開口部内に嵌合される大きさの前記外側台紙に印刷された絵柄と関連性のある表示シート片とからなり、前記表示シート片を中間台紙の開口部内に嵌合した状態で中間台紙の両面に二枚の外側台紙を貼り合わせてなるトレーディングカードの製造方法において、前記表示シート片の周囲に予め剥離紙付接着シートからなる補強枠辺を貼り付けておき、最終的に中間台紙の開口部内に前記補強枠辺の剥がされた表示シート片を嵌合して、中間台紙の両面に二枚の外側台紙を貼り合わせることを特徴とする。
【０００９】
窓孔を有する一方の外側台紙と前記窓孔よりも大きい開口部を有する中間台紙とは、窓孔と開口部とが同心的に重合されるように接着しておいて、周囲に予め剥離紙付接着シートからなる補強枠辺を貼り付けることで、形状としての強度が維持できるようにした表示シート片を前記中間台紙の開口部内に嵌合する。この場合、最終的に中間台紙の開口部内に前記補強枠辺の剥がされた表示シート片が嵌合されるようにするための手順としては、補強枠辺の貼り付けられたままの表示シート片を中間台紙の開口部内に嵌合しておいて、この開口部内に嵌合された状態の表示シート片から補強枠辺を剥がして、表示シート片を両面の外側台紙間に挟着固定することが好ましい。
【００１０】
上記のように、補強枠辺を貼り付けた表示シート片を中間台紙の開口部内に嵌合する際に、最終的に中間台紙の開口部内に前記補強枠辺の剥がされた表示シート片が嵌合されるようにするための手順としては、表示シート片を中間台紙の開口部内に嵌合する前に、まず、表示シート片の表面から補強枠辺を剥がしておいて、この補強枠辺の剥がされた表示シート片を中間台紙の開口部内に嵌合して、この表面シート片を両面の外側台紙の間に挟着固定するようにしてもよい。
【００１１】
上記のような補強枠辺を貼り付けた表示シート片を得るための方法としては、両面剥離紙付接着シートに予め前記外側台紙の窓孔と略同じ大きさの格子窓を複数個開設しておき、前記両面剥離紙付接着シートにおける一方の面の剥離紙を剥がして露呈される他方の面上の接着剤により、外側台紙に印刷される絵柄と関連性のある裁断前の表示シート片素材を貼り付け、前記それぞれの格子窓の外周に該格子窓と同心的に重なる前記中間台紙の開口部内に嵌合される大きさの前記補強枠辺を打ち抜くことにより、前記中間台紙の開口部内に嵌合される前記補強枠辺付表示シート片を得ることが好ましい。
【００１２】
【作用】
本発明のトレーディングカードの製造方法によると、カード内に嵌込まれる表示シート片が薄手で織り目が粗いレースや網目生地のような場合であっても、この表示シート片の周囲に予め剥離紙付接着シートからなる補強枠辺が貼り付けられているために、生地の周縁が補強枠辺とその裏面の接着剤とにより補強されることになり、中間台紙の開口部内に対する嵌め込み作業をきわめて簡単に行うことができる。
【００１３】
表示シート片を中間台紙の開口部内へ嵌合する際には、表示シート片の周縁に補強枠辺を付着したままの状態で嵌合し、この状態から補強枠辺を剥がしてもよく、また、表示シート片を中間台紙の開口部内へ嵌合する前に予め表示シート片の周縁から補強枠辺を剥がしておいて、表示シート片だけを開口部内へ嵌合するようにしてもよい。予め表示シート片の周縁から補強枠辺を剥がしておいて、表示シート片だけを開口部内へ嵌合する場合でも、表示シート片の周縁部は接着剤が付着して固められるので、シート片の形状が型崩れしたり歪むことを防止でき、表示シート片を摘んで開口部内へ手際よく嵌合することができる。
【００１４】
また、補強枠辺を貼り付けた表示シート片を得るための方法としては、両面剥離紙付接着シートに、予め前記外側台紙の窓孔と略同じ大きさの格子窓を複数個開設しておき、次に、各格子窓を開設した両面剥離紙付接着シートにおける一方の面の剥離紙を全面的に剥がして、露呈される他方の面上の接着剤により、外側台紙に印刷される絵柄と関連性のある、裁断前の表示シート片素材全体を貼り付けておく。このようにしておくと、薄手で織り目が粗いレースや網目生地のような扱いにくい生地でも、これが剥離紙付接着シートの片面全体に接着されることで、全体がきわめてしっかりと補強されることになる。
【００１５】
次いで、前記表示シート片素材が接着された剥離紙付接着シートにおけるそれぞれの格子窓の外周に、各格子窓と同心的に重なる前記中間台紙の開口部内に嵌合される大きさの前記補強枠辺を打ち抜く。これによって、前記中間台紙の開口部内に嵌合される前記補強枠辺付表示シート片を簡単に得ることができる。
【００１６】
【発明の実施の形態】
次に本発明に係るトレーディングカードの製造方法を、図面に示す実施例に基づいて説明すると、図１は本発明の製法における基本的な部材の構成を示しており、それぞれ一辺が約１．７ミリ程の角形の窓孔２ａ，２ｂを有する二枚の外側台紙１ａ，１ｂと、前記外側台紙１ａ，１ｂと同じ大きさの台紙で、前記窓孔２ａ，２ｂと同じ位置に、これら窓孔２ａ，２ｂよりも一回り大きな一辺が約２．７ミリ程の角形の開口部７が開設された中間台紙６と、前記中間台紙６の開口部７内に嵌合されて前記窓孔２ａ，２ｂから見ることのできる、前記外側台紙１ａ，１ｂに印刷された絵柄や写真５と関連性のある表示シート片８とから構成されている。
【００１７】
前記外側台紙１ａ，１ｂは、いずれも、予め表面に前記有名スポーツ選手やタレントなどの写真５が印刷された後に、裏面に感圧性接着剤４が塗布されて、この接着剤４の表面に剥離紙３が貼り付けられており、所定の位置に前記の窓孔２ａ，２ｂがそれぞれ開設されている。
【００１８】
外側台紙１ａ，１ｂと中間台紙６とは、まず最初に、一方の外側台紙１ａの剥離紙３を剥がして、この外側台紙１ａの表面に、中間台紙６を、その開口部７と外側台紙１ａの窓孔２ａとが同心的に重なるようにして感圧性接着剤４により貼り合わせる。このように、外側台紙１ａと中間台紙６とが貼り合わされると、中間台紙６の開口部７内に外側台紙１ａの窓孔２ａの周縁部が設けられるので、この中間台紙６の開口部７内に外側台紙１ａ，１ｂに印刷された写真５と関連性のある表示シート片８を嵌め込む。
【００１９】
中間台紙６の開口部７内に嵌合される表示シート片８は、外側台紙１ａ，１ｂに印刷されたスポーツ選手が着用したユニフォームなどの一部を、中間台紙６の開口部７内に嵌合されるような大きさに小さく裁断した多数の布地小片の一枚からなっている。
【００２０】
前記表面シート片８は、図２に示すように、予め周縁部に剥離紙付接着シートからなる幅約５ミリ程の補強枠辺９が貼り付けられている。この補強枠辺９は、布地小片からなる前記表面シート片８の周縁部に強度が付与されるように補強するためのものであるため、基本的にはどのような方法によって取り付けられていてもよい。
【００２１】
図３は表面シート片８の周縁部に補強枠辺９を取り付けるための一つの具体的方法を示している。この方法では、まず、２０乃至３０センチ程度の大きさの両面剥離紙付接着シート１０に、予め前記外側台紙１ａ，１ｂに開設した窓孔２ａ，２ｂと略同じ大きさの格子窓１２を多数順序よく配列して打ち抜き開設しておく。
【００２２】
次いで、前記両面剥離紙付接着シート１０における片側の剥離紙１０ａを全面的に剥がして、反対側の剥離紙１０ｂの片面に設けられた感圧性接着剤１１を露呈させ、この接着剤１１によってスポーツ選手が着用したユニフォームなどの、裁断前の表示シート片素材１８の全面を剥離紙１０ｂに貼り付けておく。
【００２３】
多数の格子窓１２が開設された剥離紙１０ｂの接着剤１１に表示シート片素材１８が貼り付けられると、この素材１８は、それが薄手で織り目が粗いレースや網目生地のような扱いにくい生地であっても、剥離紙１０ｂの片面に接着されることで、全体がきわめてしっかりと安定したものとなる。
【００２４】
この状態で、表示シート片素材１８が貼り付けられた剥離紙１０ｂにおけるそれぞれの格子窓１２の外周に、約５ミリ程の幅からなる、該格子窓１２と同心的に重なった前記補強枠辺９を打ち抜き、前記中間台紙６の開口部７内に嵌合される大きさの補強枠辺付表示シート片８を得る。
【００２５】
このようにして、多数の補強枠辺付表示シート片８を得たならば、図４に示すように、外側台紙１ａに重合された中間台紙６の開口部７内に前記の補強枠辺付表示シート片８を嵌め込む。補強枠辺付表示シート片８を嵌め込む際には、補強枠辺９を貼り付けたままの表面シート片８を開口部７内に嵌め込んでおいて、この状態で指先やピンセットを使用して補強枠辺９を表面シート片８から剥がすようにしてもよく、また、予め補強枠辺９を表面シート片８から剥がしておいて、表示シート片８だけを開口部７内に嵌め込むようにしてもよい。
【００２６】
補強枠辺９を貼り付けたままの表面シート片８を開口部７内に嵌め込んで、この状態で補強枠辺９を表面シート片８から剥がす方法は、表面シート片８の外側に全く接着剤が露呈していないので、表面シート片８を開口部７内に嵌め込むための作業が行いやすい。また、表面シート片８を開口部７内に嵌め込んだ際に、外側台紙１ａの窓孔２ａの周縁部には感圧性接着剤４が露呈しているので、表面シート片８の周縁部をこの接着剤４によって窓孔２ａの周縁部に接着固定した状態で表面の補強枠辺９を楽に剥がすことができる。
【００２７】
表面シート片８を開口部７内に嵌め込む前に、予め表面シート片８から補強枠辺９を剥がしておき、表示シート片８だけを開口部７内に嵌め込む方法は、補強枠辺９を剥がしたときに表面シート片８の周縁部に接着剤１１が露呈するので、指先に接着剤１１が付着して扱いにくいという難点があるが、表示シート片８の周縁部が接着剤１１により糊付けされている状態となっているので、表面シート片８が薄手で、織り目が粗いレースや網目生地のような扱いにくい生地であっても、糸のほつれや型崩れを防ぎ、開口部７内への嵌め込みを具合よく行える。
【００２８】
表面シート片８を開口部７内に嵌め込んで補強枠辺９を剥がした後は、残るもう一枚の外側台紙１ｂの裏側の剥離紙３を剥がして接着剤４を露呈させ、この外側台紙１ｂを、窓孔２ｂが前記中間台紙６の上に被さるように貼り合わせて開口部７内に嵌め込んだ表面シート片８を外側台紙１ｂで挟着固定する。
【００２９】
【発明の効果】
本発明のトレーディングカードの製法によると、中間台紙の開口部内に嵌め込む表面シート片の周縁部に、予め剥離紙付接着シートからなる補強枠辺を貼り付けておくので、２．５センチ程度の小さな小片に裁断した生地でも、切り口に露呈する糸がほつれることを確実に防止できるので、大量に保管しておくための維持管理を的確に行えて、貴重なシート片が無駄に失われることを防止できると共に、中間台紙の開口部内への嵌め込み作業を、生地の厚さ薄さに関係なく手際よく能率的に皺や歪みを生ずることなく適正に行うことができる。
【００３０】
特に、表示シート片の周縁部に補強枠辺を貼り付けるための手段として、両面剥離紙付接着シートに予め外側台紙の窓孔と略同じ大きさの格子窓を複数個開設しておき、この格子窓を開設した両面剥離紙付接着シートにおける一方の面の剥離紙を剥がして、露呈される他方の剥離紙面上の接着剤により、裁断前の表示シート片素材全体を貼り付け、次いで、この剥離紙における窓孔の外周から補強枠辺を打ち抜く方法によれば、薄手で織り目が粗いレースや網目生地のような扱いにくい生地でも、その周縁部に能率よく的確に補強枠辺を設けることができ、この補強枠辺によって中間台紙の開口部内への嵌め込み作業を皺や歪みを生ずることなく能率的に行うことができるので、この種の製品の製造方法としてきわめて便利であって良質の製品を製造することに役立つ。
【図面の簡単な説明】
【図１】  本発明のトレーディングカードを製造するための方法における基本的な部材の構成と順序を示す斜視図。
【図２】  周縁部に補強枠辺を貼り付けた表示シート片の形状を示す斜視図。
【図３】  周縁部に補強枠辺を貼り付けた表示シート片を得るための具体的方法を示す斜視図。
【図４】  図１に示すの順序に引き続いた製造方法の順序を示す斜視図。
【符号の説明】
１ａ，１ｂ：外側台紙、
２ａ，２ｂ：窓孔、
３：剥離紙、
４：感圧性接着剤、
５：写真、
６：中間台紙、
７：開口部、
８：表示シート片、
９：補強枠辺、
１０：両面剥離紙付接着シート、
１０ａ：剥離紙、
１１：感圧性接着剤、
１２：格子窓、
１８：裁断前の表示シート片素材、
【図１】
0003650339.tif 000002
【図２】
0003650339.tif 000003
【図３】
0003650339.tif 000004
【図４】
0003650339.tif 000005